(57)【要約】【課題】ワンタッチ選局ボタンの自動更新を行う否かを設定することができる放送受信装置を提供する。【解決手段】実施の形態の放送受信装置は、抽出部と、制御部とを備える。抽出部は、放送信号からリモートコントローラのワンタッチ選局ボタンの自動設定を行うための設定情報を抽出する。制御部は、設定情報が更新された際に、ワンタッチ選局ボタンの自動設定を行うか否かを予めユーザに選択させ、設定情報に更新があるか否かを判定し、設定情報に更新がある場合、ユーザによってワンタッチ選局ボタンの自動設定を行うことが選択されているか否かを判定し、ワンタッチ選局ボタンの自動設定を行うことが選択されている場合、更新された設定情報に基づいてワンタッチ選局ボタンの自動設定を行い、ワンタッチ選局ボタンの自動設定を行わないことが選択されている場合、ワンタッチ選局ボタンの自動設定を行わない制御を行う。【選択図】図１
2019103033.tif 000002
【特許請求の範囲】
【請求項１】
放送信号を受信し、前記放送信号からリモートコントローラのワンタッチ選局ボタンの自動設定を行うための設定情報を抽出する抽出部と、
前記設定情報が更新された際に、前記リモートコントローラの前記ワンタッチ選局ボタンの自動設定を行うか否かを予めユーザに選択させ、前記設定情報に更新があるか否かを判定し、前記設定情報に更新がある場合、前記ユーザによって前記ワンタッチ選局ボタンの自動設定を行うことが選択されているか否かを判定し、前記ユーザによって前記ワンタッチ選局ボタンの自動設定を行うことが選択されている場合、更新された前記設定情報に基づいて前記リモートコントローラの前記ワンタッチ選局ボタンの自動設定を行い、前記ユーザによって前記ワンタッチ選局ボタンの自動設定を行わないことが選択されている場合、前記リモートコントローラの前記ワンタッチ選局ボタンの自動設定を行わない制御を行う制御部と、
を備えることを特徴とする放送受信装置。
【請求項２】
前記制御部は、前記ユーザによって前記ワンタッチ選局ボタンの自動設定を行わないことが選択されている状態で前記設定情報が更新された場合、前記設定情報が更新されたことを通知することを特徴とする請求項１に記載の放送受信装置。
【請求項３】
前記制御部は、前記ユーザによって前記ワンタッチ選局ボタンの自動設定を行うことが選択されている状態で前記設定情報が更新された場合、前記リモートコントローラの前記ワンタッチ選局ボタンの設定を更新したことを通知することを請求項１に記載の放送受信装置。
【請求項４】
前記リモートコントローラの前記ワンタッチ選局ボタンを手動で設定する画面を生成する画面生成部を更に備えることを特徴とする請求項１に記載の放送受信装置。
【請求項５】
前記画面生成部は、前記制御部により前記リモートコントローラの前記ワンタッチ選局ボタンの自動設定が行われた際に、新たに割り当てられた前記ワンタッチ選局ボタンに新規追加を示す識別子を表示することを特徴とする請求項１に記載の放送受信装置。
【請求項６】
放送信号を受信し、前記放送信号からリモートコントローラのワンタッチ選局ボタンの自動設定を行うための設定情報を抽出する抽出部と、
前記設定情報に更新があるか否かを判定する制御部と、
前記制御部によって前記設定情報に更新があると判定された場合、前記リモートコントローラの前記ワンタッチ選局ボタンの更新を行うか否かを選択させる選択画面を生成する画面生成部と、
を備えることを特徴とする放送受信装置。
【発明の詳細な説明】
【技術分野】
【０００１】
本発明の実施の形態は、放送受信装置に関する。
【背景技術】
【０００２】
近年、４Ｋ／８Ｋの超高精細度デジタル放送を提供するサービスとして、高度ＢＳ放送の試験放送が行われている。高度ＢＳ放送は、２０１８年１２月１日以降に実用放送を開始する予定になっており、標準規格が電波産業会（ＡＲＩＢ）によって策定されている。
【０００３】
電波産業会（ＡＲＩＢ）が策定している標準規格の１つとして、放送波からのリモートコントロールキー記述子によって、リモートコントローラ（以下、リモコンという）のワンタッチ選局ボタン（リモコンの１番から１２番）に放送局を自動で割り当てるためのリモートコントロールキー記述子に関する規格が存在する。そして、リモートコントロールキー記述子が変更された場合、受信装置はワンタッチ選局ボタンを、例えば自動更新する。
【０００４】
しかしながら、ワンタッチ選局ボタンにどの放送局を割り当てるかについては、一度リモートコントロールキー記述子によって割当てた後で、ユーザによってカスタマイズすることができてもよい。このような受信装置では放送波に含まれるリモートコントロールキー記述子が更新された場合、自動更新によってワンタッチ選局ボタンの割り当てが変更されると、ワンタッチ選局ボタンに割り当てる放送局をカスタマイズしているユーザにとってはカスタマイズした割当内容が変わってしまう場合も発生し不便である。
【先行技術文献】
【特許文献】
【０００５】
【特許文献１】特開２０１１−２２３１９６号公報
【発明の概要】
【発明が解決しようとする課題】
【０００６】
本発明の実施の形態は、ワンタッチ選局ボタンの自動更新を行うか否かを設定することができる放送受信装置を提供することを目的とする。
【課題を解決するための手段】
【０００７】
実施の形態の放送受信装置は、抽出部と、制御部とを備える。抽出部は、放送信号を受信し、放送信号からリモートコントローラのワンタッチ選局ボタンの自動設定を行うための設定情報を抽出する。制御部は、設定情報が更新された際に、リモートコントローラのワンタッチ選局ボタンの自動設定を行うか否かを予めユーザに選択させ、設定情報に更新があるか否かを判定し、設定情報に更新がある場合、ユーザによってワンタッチ選局ボタンの自動設定を行うことが選択されているか否かを判定し、ユーザによってワンタッチ選局ボタンの自動設定を行うことが選択されている場合、更新された設定情報に基づいてリモートコントローラのワンタッチ選局ボタンの自動設定を行い、ユーザによってワンタッチ選局ボタンの自動設定を行わないことが選択されている場合、リモートコントローラのワンタッチ選局ボタンの自動設定を行わない制御を行う。
【図面の簡単な説明】
【０００８】
【図１】第１の実施の形態に係る放送受信装置を示すブロック図である。
【図２】ワンタッチ選局ボタンの設定用画面の一例を示す図である。
【図３】ワンタッチ選局ボタンの自動設定を選択させるための選択画面の一例を示す図である。
【図４】新規に割り当てられたワンタッチ選局ボタンの表示した番組表の画面の一例を示す図である。
【図５】第１の実施の形態に係る、ワンタッチ選局ボタンの更新処理の一例を示すフローチャートである。
【図６】ワンタッチ選局ボタンの更新を行うか否かを選択させる選択画面の一例を示す図である。
【図７】第２の実施の形態に係る、ワンタッチ選局ボタンの更新処理の一例を示すフローチャートである。
【発明を実施するための形態】
【０００９】
以下、図面を参照して本発明の実施の形態について詳細に説明する。
（第１の実施の形態）
図１は、第１の実施の形態に係る放送受信装置を示すブロック図である。
【００１０】
図１において、アンテナ２１は、高度ＢＳ放送及び高度広域帯ＣＳ放送（以下、これらを高度広帯域放送という）を受信して高度広帯域放送信号を放送受信装置１の入力端子２ａに供給する。入力端子２ａに入力された高度広帯域放送信号はチューナ部Ｔｕに供給される。
【００１１】
放送受信装置１は、制御部１０を備えている。制御部１０は、ＣＰＵ等を用いたプロセッサによって構成されて、ＲＯＭ１０ａに記憶されたプログラムに従って動作して各部を制御するものであってもよいし、ハードウェアの電子回路で機能の一部又は全部を実現するものであってもよい。
【００１２】
チューナ部Ｔｕは、複数のチューナＴｕ１，Ｔｕ２，…（以下、これらを代表してチューナＴｕｎという）を有している。チューナＴｕｎは、制御部１０に制御されて、それぞれ入力された高度広帯域放送信号の中から所望のチャンネルの放送信号を選局し、この選局した信号を信号処理部３に出力する。信号処理部３は、入力された放送信号を復調する。
【００１３】
図１の例では１つの高度広帯域放送に対応するアンテナ２１のみを示したが、地上デジタル放送、ＢＳ放送、広域帯ＣＳ放送に対応するアンテナを設けて、各アンテナからの信号をチューナ部Ｔｕに供給するようになっていてもよい。この場合には、信号処理部３は、各放送の変調方式に対応した復調を行う。これにより、信号処理部３において、各放送信号のストリームが得られる。なお、図１では、各放送信号がアンテナを介して入力される例を示したが、放送信号の伝送路は特に限定されるものではなく、空中線を介さずインターネット回線を介して受信するＩＰ放送や、ケーブルテレビジョン放送網を介して受信するものであってもよい。
【００１４】
例えば、高度広帯域放送信号については、信号処理部３の復調によってＴＬＶ（Type Length Value）ストリームが得られる。信号処理部３は、ＴＬＶストリームに含まれるＩＰパケットを分離し、ＩＰパケット中に含まれる映像データ、音声データ、字幕データ、文字スーパー、アプリケーションデータ及びＥＣＭ（Entitlement Control Message），ＥＭＭ（Entitlement Management Message）を含む各種メッセージ、及び、リモートコントロールキー記述子を抽出する。なお、リモートコントロールキー記述子については、後述する。
【００１５】
なお、信号処理部３は、地上デジタル放送信号については、復調処理によってトランスポートストリーム（ＭＰＥＧ−２  Ｓｙｓｔｅｍｓ規格により多重されたトランスポートストリーム）を抽出する。更に、信号処理部３は、トランスポートストリームから映像データ及び音声データを抽出すると共に、ＥＣＭ，ＥＭＭを含む各種メッセージを抽出するようになっている。
【００１６】
更に、信号処理部３は、各放送方式の映像データ及び音声データに対するデコード処理を行った後所定の信号処理を施し、映像データ及び音声データを得る。信号処理部３は、映像データ及び音声データをそれぞれグラフィック処理部４又は音声処理部７に与え、その他のデータを制御部１０に与える。ＯＳＤ信号生成部５は、制御部１０から与えられた情報に基づいて、スーパーインポーズ表示するための画像情報（ＯＳＤ信号）を生成してグラフィック処理部４に供給する。
【００１７】
グラフィック処理部４は、信号処理部３からのデジタルの映像データと、ＯＳＤ信号生成部５からのＧＵＩ（Graphical User Interface）に基づく画像等を重ね合わせ、重ね合わせた画像を映像処理部６に送る。
【００１８】
例えば、グラフィック処理部４には、映像データの他、番組を取得するための各種データや電子番組ガイド（ＥＰＧ）情報，番組属性情報，字幕情報等が与えられ、グラフィック処理部４は、これら入力された情報に基づいてＥＰＧ，字幕等を表示するための画像生成処理を行うことができる。
【００１９】
映像処理部６は、制御部１０に制御されて、グラフィック処理部４からのデジタル放送信号を映像表示部８で表示可能なフォーマット（画素数、フレーム周波数、走査方式）に変換したり、表示色を任意に調整したりして、映像表示部８に出力する。これにより、映像表示部８の表示画面上において、映像を表示させることができる。
【００２０】
また、音声処理部７は、信号処理部３からのデジタルの音声データを、スピーカ９で再生可能なアナログ信号に変換した後、スピーカ９に出力して音声を再生させる。なお、放送受信装置がセット・トップ・ボックス等の場合には、映像表示部８やスピーカ９を備えている必要はない。
【００２１】
放送受信装置１にはカードインタフェース（Ｉ／Ｆ）１３、通信Ｉ／Ｆ１６、ＵＳＢＩ／Ｆ１７及びＨＤＭＩＩ／Ｆ１８が設けられている。カードＩ／Ｆ１３は、カードホルダ１４に装着されたＩＣカード２３と、制御部１０との間でデータの送受信を可能にする。例えば、ＩＣカード２３として現行デジタル放送に対応したＣＡＳカードを採用した場合には、カードＩ／Ｆ１３は、現行放送のデスクランブルに関するデータの送受を行う。
【００２２】
通信Ｉ／Ｆ１６は、ＩＥＥＥ１３９４等の所定の通信路に対応したインタフェースであり、端子２ｂを介して図示しない外部機器に接続されて外部機器と制御部１０との間でデータの送受信を可能にする。また、ＨＤＭＩＩ／Ｆ１８は、ＨＤＭＩ（登録商標）規格に対応したインタフェースであり、端子２ｄを介して図示しない外部機器に接続されて外部機器からのＨＤＭＩ信号を受信して制御部１０に出力したり、制御部１０からのＨＤＭＩ信号を、端子２ｄを介して外部機器に出力したりすることができる。
【００２３】
ＵＳＢＩ／Ｆ１７は、ＵＳＢ規格に対応したインタフェースであり、端子２ｃを介してＨＤＤ２４等のＵＳＢ対応機器に接続されてＵＳＢ対応機器と制御部１０との間でデータの送受信を可能にする。例えば、端子２ｃにＨＤＤ２４が接続された場合には、制御部１０は、ＵＳＢＩ／Ｆ１７及び端子２ｃを介して映像データをＨＤＤ２４に与えて記録させることが可能である。なお、内蔵したＨＤＤや光ディスクドライブ、ＳＤ（登録商標）カードリーダライタ等によって記録部を構成することで、制御部１０は、放送番組の信号を記録することも可能である。
【００２４】
放送受信装置１には操作部１１及び受信部１２が設けられている。操作部１１は図示しないスイッチ、キー、ボタン等によって構成されて、ユーザ操作に基づく操作信号を制御部１０に出力する。また、受信部１２は、リモートコントローラ（以下、リモコンという）２２からユーザ操作に基づく操作信号を受信し、この受信した操作信号を制御部１０に出力する。制御部１０は、操作部１１及び受信部１２からの操作信号に基づいて、放送受信装置１の各部を制御する。例えば、リモコン２２によって、アップ／ダウンキーやワンタッチ選局ボタン等によって受信チャンネル番号を指定する操作が行われた場合には、各チューナＴｕｎは、リモコン２２からの操作信号に応じた選局動作を行う。
【００２５】
放送受信装置１にはＣＡＳモジュール１５が設けられている。ＣＡＳモジュール１５は、限定受信方式の制御のために用いられる。ＣＡＳモジュール１５には、モジュール固有のマスターキーＫｍが記憶されている。信号処理部３において抽出されたＥＭＭにはスクランブルを解除するためのワーク鍵Ｋｗが含まれる。このＥＭＭは、モジュール毎に個別のマスターキーＫｍで暗号化されており、ＣＡＳモジュール１５は、制御部１０から与えられたＥＭＭを、マスターキーＫｍを用いて復号してワーク鍵Ｋｗを取得する。
【００２６】
放送データはスクランブル鍵Ｋｓにより暗号化されている場合がある。このスクランブル鍵Ｋｓは、ＥＣＭに多重されて伝送される。このＥＣＭは放送事業者毎に可変のワーク鍵Ｋｗによって暗号化されており、ＣＡＳモジュール１５は、保存しているワーク鍵Ｋｗを用いて、制御部１０から与えられたＥＣＭを復号してスクランブル鍵Ｋｓを取得する。ＣＡＳモジュール１５からのスクランブル鍵Ｋｓは制御部１０を介して信号処理部３に供給され、信号処理部３は、スクランブル鍵Ｋｓを用いて、デスクランブル処理を行うようになっている。
【００２７】
なお、スクランブル鍵Ｋｓは、比較的短い時間で更新されており、ＣＡＳモジュール１５は、スクランブルが施された番組の視聴中は、常にスクランブル鍵Ｋｓの取得及び信号処理部３への出力を行う。なお、ＩＣカード２３としてＣＡＳカードを用いた場合には、このＣＡＳカードの復号動作もＣＡＳモジュール１５と同様である。
【００２８】
ここで、リモートコントロールキー記述子について説明する。リモートコントロールキー記述子は、高度ＢＳ放送の標準規格の１つであり、高度広帯域放送信号のうち、特に高度ＢＳ放送の放送信号に含まれている。放送信号に含まれるリモートコントロールキー記述子によって、リモコン２２のワンタッチ選局ボタンに放送局を自動で割り当てるようになっている。
【００２９】
上述したように、リモートコントロールキー記述子は、信号処理部３によって高度広帯域放送信号から抽出される。信号処理部３は、抽出したリモートコントロールキー記述子を制御部１０に出力する。すなわち、信号処理部３は、放送信号を受信し、放送信号からリモコン２２のワンタッチ選局ボタンの自動設定を行うための設定情報（リモートコントロールキー記述子）を抽出する抽出部を構成する。
【００３０】
制御部１０は、信号処理部３からのリモートコントロールキー記述子に基づいて、リモコン２２のワンタッチ選局ボタンに放送局（放送事業者）を自動で割り当てたリモコン設定情報を生成する。制御部１０は、信号処理部３からのリモートコントロールキー記述子、及び、生成したリモコン設定情報を不揮発性メモリ１０ｃに記憶する。ユーザがワンタッチ選局ボタン等によって受信チャンネル番号を指定する操作を行うと、リモコン２２から受信部１２を介して操作信号が制御部１０に入力される。制御部１０は、操作信号が入力されると、不揮発性メモリ１０ｃに記憶しているリモコン設定情報を参照し、操作信号に応じた選局動作を行う。
【００３１】
また、本実施の形態では、ワンタッチ選局ボタンの設定を手動で設定することができるようになっている。
【００３２】
図２は、ワンタッチ選局ボタンの設定用画面の一例を示す図である。ユーザがリモコン２２の「設定」キーを押下し、ワンタッチ選局ボタンの設定を選ぶと、図２に示すワンタッチ選局ボタンの設定用画面３１が映像表示部８に表示される。ワンタッチ選局ボタンの設定用画面３１は、制御部１０の制御によりＯＳＤ信号生成部５によって生成される。
【００３３】
ユーザはリモコン２２の所定のボタンを操作することで、任意のワンタッチ選局ボタンに任意の放送局を設定することができる。この機能により、ワンタッチ選局ボタンにどの放送局を割り当てるのかは、ユーザによってカスタマイズすることができる。また、ユーザがリモコン２２の［青］ボタンを押下することで、不揮発性メモリ１０ｃに記憶されたリモートコントロールキー記述子の情報に基づいて、ワンタッチ選局ボタンに放送局を自動で割り当てることができる。
【００３４】
なお、ユーザがリモコン２２の［青］ボタンを押下した場合、信号処理部３が放送信号から抽出したリモートコントロールキー記述子（リモコン２２のワンタッチ選局ボタンの自動設定を行うための設定情報）を用いて、ワンタッチ選局ボタンに放送局を自動で割り当てるようにしても良い。
【００３５】
また、リモートコントロールキー記述子は、ワンタッチ選局ボタンの更新情報がない場合でも、高度ＢＳ放送の放送信号に所定の間隔で定期的に含まれている。そのため、制御部１０には、信号処理部３から所定の間隔でリモートコントロールキー記述子が入力される。制御部１０は、入力されたリモートコントロールキー記述子と、不揮発性メモリ１０ｃに記憶されているリモートコントロールキー記述子と比較を行う。制御部１０は、比較結果が同じ場合、すなわち、ワンタッチ選局ボタンの更新情報がない場合にはリモコン設定情報を更新しない。一方、制御部１０は、比較結果が異なる場合、すなわち、ワンタッチ選局ボタンの更新情報がある場合にはリモコン設定情報を更新する。
【００３６】
しかしながら、リモコン２２のワンタッチ選局ボタンに割り当てる放送局をユーザがカスタマイズしている場合、リモコン設定情報を更新することは、ユーザにとって不便である。
【００３７】
そのため、本実施の形態の放送受信装置１は、ワンタッチ選局ボタンの自動設定を行うか否かをユーザによって選択することができるように構成されている。
【００３８】
図３は、ワンタッチ選局ボタンの自動設定を選択させるための選択画面の一例を示す図である。ユーザがリモコン２２の「設定」キーを押下し、ワンタッチ選局ボタンの自動設定を選ぶと、図３に示すワンタッチ選局ボタンの自動設定を選択させるための選択画面３２が映像表示部８に表示される。選択画面３２は、制御部１０の制御によりＯＳＤ信号生成部５によって生成される。
【００３９】
ユーザは、映像表示部８に選択画面３２が表示されている際に、リモコン２２のアップ／ダウンキーにより「更新する」又は「更新しない」を選択し、リモコン２２の決定キーを押下する。これにより、ユーザは、ワンタッチ選局ボタンの自動設定を行うか否かを設定することができる。
【００４０】
制御部１０は、入力されたリモートコントロールキー記述子と、不揮発性メモリ１０ｃに記憶されているリモートコントロールキー記述子との比較結果が異なり、かつ、ワンタッチ選局ボタンの自動設定で「更新する」が選択されている場合、更新されたリモートコントロールキー記述子に基づいて、リモコン２２のワンタッチ選局ボタンに放送局を自動で割り当てたリモコン設定情報を生成する。
【００４１】
制御部１０は、ワンタッチ選局ボタンの自動設定で「更新する」が選択されている状態で、ワンタッチ選局ボタンの更新情報があった場合、ワンタッチ選局ボタンの更新を行うと共に、ワンタッチ選局ボタンが更新された旨をユーザに通知する。制御部１０は、例えば、本機からのお知らせを発行しユーザが所定のメニューから通知を見られるようにしたり、ＯＳＤ信号生成部５を制御してポップアップメッセージを映像表示部８に表示する。
【００４２】
また、制御部１０は、ワンタッチ選局ボタンが自動で更新された場合、例えば、新規に割り当てられたワンタッチ選局ボタンがユーザに認識できるように表示する。
【００４３】
図４は、新規に割り当てられたワンタッチ選局ボタンの表示した番組表の画面の一例を示す図である。
【００４４】
制御部１０は、例えば、ワンタッチ選局ボタンの「８」番に「ＨＨＨ」の放送局が新たに割り当てられた場合、図４に示すように、ＯＳＤ信号生成部５を制御し、新たに割り当てられたワンタッチ選局ボタンに新規追加を示す識別子としてのロゴ４２を表示する。このロゴ４２の表示については一度表示したら次から表示されないようにしても良いし、所定期間例えば数日間表示されてもよい。
【００４５】
なお、本実施の形態では、識別子としてロゴ４２を用いているが、識別子はロゴ４２に限定されることなく、アイコン、あるいは、文字の色を変更する等、新規追加があったことを識別できるものであればどのようなものでも良い。
【００４６】
一方、制御部１０は、入力されたリモートコントロールキー記述子と、不揮発性メモリ１０ｃに記憶されているリモートコントロールキー記述子との比較結果が異なり、かつ、ワンタッチ選局ボタンの自動設定で「更新しない」が選択されている場合、ワンタッチ選局ボタンの更新を行わないようにする。
【００４７】
制御部１０は、ワンタッチ選局ボタンの自動設定で「更新しない」が選択されている状態で、ワンタッチ選局ボタンの更新情報があった場合（現在のワンタッチ選局ボタンの割当てから、少なくとも１つのワンタッチ選局ボタンについて割当てが変わるリモートコントロールキー記述子を受けた場合）、ワンタッチ選局ボタンの更新情報がある旨をユーザに通知する。制御部１０は、例えば、本機からのお知らせを発行しユーザが所定のメニューから通知を見られるようにしたり、ＯＳＤ信号生成部５を制御してポップアップメッセージを映像表示部８に表示する。制御部１０は、例えば、受信できない放送局に関して、現在割当てていない番号に変わるようなリモートコントロールキー記述子を受信した場合には、受信装置としては現在のワンタッチ選局ボタンについて割当ては何ら変わらないため、このような場合にはワンタッチ選局ボタンの更新情報がある旨をユーザに通知しない。
【００４８】
次に、図５を参照して、本実施の形態のワンタッチ選局ボタンの更新処理について説明する。
【００４９】
図５は、第１の実施の形態に係る、ワンタッチ選局ボタンの更新処理の一例を示すフローチャートである。
【００５０】
まず、信号処理部３が放送信号からリモートコントロールキー記述子を抽出する（Ｓ１）。次に、制御部１０は、信号処理部３によって抽出されたリモートコントロールキー記述子と、不揮発性メモリ１０ｃに記憶されていた以前のリモートコントロールキー記述子とを比較する（Ｓ２）。
【００５１】
制御部１０は、比較結果が一致しているか否かを判定する（Ｓ３）。制御部１０は、比較結果が一致していると判定した場合（Ｓ３：ＹＥＳ）、すなわち、リモートコントロールキー記述子が更新されていない場合、Ｓ１の処理に戻り、同様の処理を繰り返す。
【００５２】
一方、制御部１０は、比較結果が一致していないと判定した場合（Ｓ３：ＮＯ）、すなわち、リモートコントロールキー記述子が更新された場合、ワンタッチ選局ボタンの自動更新が設定されているか否かを判定する（Ｓ４）。
【００５３】
制御部１０は、ワンタッチ選局ボタンの自動更新が設定されていると判定した場合（Ｓ４：ＹＥＳ）、更新されたリモートコントロールキー記述子に基づいて、ワンタッチ選局ボタンを更新し（Ｓ５）、処理を終了する。
【００５４】
一方、制御部１０は、ワンタッチ選局ボタンの自動更新が設定されていないと判定した場合（Ｓ４：ＮＯ）、ワンタッチ選局ボタンを更新せずに（Ｓ６）、処理を終了する。
【００５５】
以上のように、本実施の形態の放送受信装置１は、ワンタッチ選局ボタンの自動設定を選択させるための選択画面３２によって、ワンタッチ選局ボタンの自動設定を行うか否かをユーザに選択させる。ワンタッチ選局ボタンの割り当てをカスタマイズしており、ワンタッチ選局ボタンの自動設定を行いたくないユーザは、予め選択画面３２でワンタッチ選局ボタンの自動設定を「更新しない」に設定しておく。この結果、ワンタッチ選局ボタンの自動設定を行いたくないユーザは、リモートコントロールキー記述子の更新があった場合でも、ワンタッチ選局ボタンの割り当てが変更されない。
【００５６】
一方、ワンタッチ選局ボタンの割り当てを常に最新の情報に更新したいユーザは、予め選択画面３２でワンタッチ選局ボタンの自動設定を「更新する」に設定しておく。この結果、ワンタッチ選局ボタンの割り当てを常に最新の情報に更新したいユーザは、リモートコントロールキー記述子の更新があった場合、ワンタッチ選局ボタンの割り当てが常に最新の情報に変更される。
【００５７】
よって、本実施の形態の放送受信装置１によれば、ワンタッチ選局ボタンの自動更新を行う否かを設定することができる。
（第２の実施の形態）
次に、第２の実施の形態について説明する。
【００５８】
第２の実施の形態の放送受信装置１の全体構成は、図１の第１の実施の形態と同様である。以下の説明では、第１の実施の形態と異なる処理についてのみ説明する。
【００５９】
図６は、ワンタッチ選局ボタンの更新を行うか否かを選択させる選択画面の一例を示す図である。
【００６０】
第２の実施の形態の制御部１０は、信号処理部３から入力されたリモートコントロールキー記述子と、不揮発性メモリ１０ｃに記憶されているリモートコントロールキー記述子と比較を行う。そして、制御部１０は、比較結果が異なる場合、図６に示すワンタッチ選局ボタンの更新を行うか否かを選択させる選択画面５１を映像表示部８に表示する。選択画面５１は、制御部１０の制御によりＯＳＤ信号生成部５によって生成される。
【００６１】
ユーザは、映像表示部８に選択画面５１が表示されている際に、リモコン２２のアップ／ダウンキーにより「更新する」又は「更新しない」を選択し、リモコン２２の決定キーを押下する。これにより、ユーザは、ワンタッチ選局ボタンの更新を行うか否かを選択することができる。
【００６２】
このように、画面生成部としてのＯＳＤ信号生成部５は、リモートコントロールキー記述子が更新された際に、リモコン２２のワンタッチ選局ボタンの更新を行うか否かを選択させる選択画面５１を生成する。
【００６３】
すなわち、第１の実施の形態は、リモートコントロールキー記述子に更新があった際に、ワンタッチ選局ボタンの更新を行う否かを選択画面３２を用いてユーザが事前に設定していた。
【００６４】
これに対して、本実施の形態は、リモートコントロールキー記述子に更新があると、選択画面５１を映像表示部８に表示し、ワンタッチ選局ボタンの更新を行う否かをユーザがその都度、選択（設定）するように構成されている。
【００６５】
なお、リモートコントロールキー記述子が更新された場合であっても、例えば、受信できない放送局に関して、現在割当てていない番号に変わるようなリモートコントロールキー記述子を受信した場合には、受信装置としては現在のワンタッチ選局ボタンについて割当ては何ら変わらないため、このような場合にはワンタッチ選局ボタンの更新情報がある旨をユーザに通知しないようにしても良い。このようにすることによりユーザによる通知に対する無駄な操作を省略することができる。
【００６６】
また、本実施の形態では、リモートコントロールキー記述子に更新があると、選択画面５１を映像表示部８に表示し、ワンタッチ選局ボタンの更新を行う否かをユーザがその都度、選択（設定）させるため、ワンタッチ選局ボタンの更新を行う否かを、図３の選択画面３２を用いてユーザに事前に設定させる処理を省いても良い。
【００６７】
次に、図７を参照して、本実施の形態のワンタッチ選局ボタンの更新処理について説明する。
【００６８】
図７は、第２の実施の形態に係る、ワンタッチ選局ボタンの更新処理の一例を示すフローチャートである。なお、図７において、図５と同一の処理は、同一の符号を付して説明を省略する。
【００６９】
制御部１０は、Ｓ３の処理において、比較結果が一致していないと判定した場合（Ｓ３：ＮＯ）、ＯＳＤ信号生成部５を制御し、ワンタッチ選局ボタンの更新を行うか否かを選択させる選択画面５１を映像表示部８に表示する（Ｓ１１）。
【００７０】
次に、制御部１０は、ワンタッチ選局ボタンの更新を行うか否かを判定する（Ｓ１２）。ユーザが選択画面５１で「更新する」を選択した場合、制御部１０は、ワンタッチ選局ボタンの更新を行うと判定し（Ｓ１２：ＹＥＳ）、更新されたリモートコントロールキー記述子に基づいて、ワンタッチ選局ボタンを更新し（Ｓ５）、処理を終了する。
【００７１】
一方、ユーザが選択画面５１で「更新しない」を選択した場合、制御部１０は、ワンタッチ選局ボタンの更新を行わないと判定し（Ｓ１２：ＮＯ）、ワンタッチ選局ボタンを更新せずに（Ｓ６）、処理を終了する。
【００７２】
以上の処理により、放送受信装置１は、リモートコントロールキー記述子に更新があった際に、ワンタッチ選局ボタンの更新を行うか否かをユーザが選択することができ、ワンタッチ選局ボタンを更新したくないユーザ、及び、ワンタッチ選局ボタンを常に最新の情報に更新したいユーザの両者にとって有益となる。
【００７３】
よって、本実施の形態の放送受信装置１によれば、第１の実施の形態と同様に、ワンタッチ選局ボタンの自動更新を行う否かを設定することができる。
【００７４】
本発明は、上記実施の形態に限定されるものではなく、実施段階ではその要旨を逸脱しない範囲で種々に変形することが可能である。また、上記実施の形態には種々の段階の発明が含まれており、開示される複数の構成要件における適当な組み合わせにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００７５】
１…放送受信装置、２ａ…入力端子、２ｂ〜２ｄ…端子、３…信号処理部、４…グラフィック処理部、５…ＯＳＤ信号生成部、６…映像処理部、７…音声処理部、８…映像表示部、９…スピーカ、１０…制御部、１１…操作部、１２…受信部、１３…カードＩ／Ｆ、１４…カードホルダ、１５…ＣＡＳモジュール、１６…通信Ｉ／Ｆ、１７…ＵＳＢＩ／Ｆ、１８…ＨＤＭＩＩ／Ｆ、２１…アンテナ、２２…リモートコントローラ、２３…カード、２４…ＨＤＤ。
【図１】
2019103033.tif 000003
【図２】
2019103033.tif 000004
【図３】
2019103033.tif 000005
【図４】
2019103033.tif 000006
【図５】
2019103033.tif 000007
【図６】
2019103033.tif 000008
【図７】
2019103033.tif 000009